(57)【特許請求の範囲】
【請求項１】
短尺板状の敷目部の下辺を屈曲させた馳部と、敷目部の上辺を馳部と逆方向に屈曲させた雨返部と、敷目部の中央部を略断面壺状に形成した係止部を間隔を有して形成し、敷目部の少なくとも両端を表面側に突出した突起を形成した合成樹脂製の敷目板と、長さが敷目部と同じ長さの短尺板状の底面と、該底面の上端を上方に挿入溝を有して突出した立ち上がり片と、底面の下端を内方にＬ字状に屈曲した係止片と、該底面の幅方向両側を該係止片の近傍から底面の中間部より立ち上がり片側寄りまでの範囲で折り返して出合袋状とした係止舌片と、該係止舌片上端から立ち上がり片まで底面を露出した平面部とから形成した金属製の嵌合体と、軟質の合成樹脂材よりなる防水材とからなり、該嵌合体の係合片を前記敷目板の係止部に、嵌合体の挿入溝を敷目板の雨返部に係止させて一体化し、係止舌片の上端に防水材を接着してなることを特徴とする防水継手材。
【発明の詳細な説明】
【０００１】
【産業上の利用分野】
本発明は横葺き用屋根材、あるいは横張り用壁材等の外装材を用いて屋根、壁を形成した際の目地部に用いられる防水継手材に関するものである。
【０００２】
【従来の技術】
従来、横葺き用屋根材、横張り用外壁材等の外装材を施工した際の目地構造は、▲１▼外装材の両側縁をはぜ状に屈曲し、互いにはぜ継ぎした構造、▲２▼敷目板とカバー材とにより外装材の側端部を上下でサンドイッチした構造、▲３▼外装材同士を単に重ねた構造、等であった。
【０００３】
【発明が解決しようとする課題】
しかしながら、これらの構造において、▲３▼は防水性に劣り、▲１▼、▲３▼は外装材を重ねることにより段差が不揃いとなって意匠性の低下を招く不利があった。また▲２▼では、特に屋根材に適応した場合、積雪地方での雪落としの際にカバー材を外装材の長手方向にスライドさせてしまい継手部分が外部に露出してしまう危険性があった。
【０００４】
【課題を解決するための手段】
本発明はこのような欠点を除去するため、防水継手材を合成樹脂材よりなる敷目板と金属製の嵌合体と直方体の防水材より構成し、かつ、嵌合体は敷目板の中央部に形成された断面壺状の複数個の係止部に係止されて一体化されたものとし、また、敷目部の下辺を屈曲させ、下段の外装材表面に水を流下するための馳部と、敷目部に形成した突起と、防水材により、雨水等を速やかに下方に流下させることを可能とし、防水性を大幅に向上した防水継手材を提案するものである。
【０００５】
【実施例】
以下に、本発明に係る防水継手材について詳細に説明する。図１は上記防水継手材Ａの代表的一例を示す斜視図、図２は本発明に係る防水継手材Ａの部材である敷目板Ｂを示す斜視図、図３は本発明に係る防水継手材Ａの部材である嵌合体Ｃを示す斜視図、図４は本発明に係る防水継手材Ａの部材である防水材Ｄを示す斜視図、図５は図１の正面図、図６は図１の背面図、図７は図１の右側面図、図８は図１の平面図、図９は図１の底面図、図１０は図５のａ−ａ部断面図、図１１は図５のｂ−ｂ部断面図、図１２は図５のｃ−ｃ部拡大断面図、図１３は図３のｄ−ｄ部部分拡大断面図、図１４は図１１のｅ−ｅ部部分拡大断面図、図１５は図１１のｆ−ｆ部部分拡大断面図、図１６は図１０のｇ−ｇ部部分拡大図、図１７は図１０のｈ−ｈ部部分拡大図である。
【０００６】
防水継手材Ａは、例えば図１８（ａ）、（ｂ）（図１８（ａ）の長手方向の端面図）に示すような外装材Ｅを、図１９に示すような下地材Ｆを用いて図２０に示すように施工した際に、外装材Ｅの縦目地部下部に位置し、防水性を付与すると共に、外装材Ｅの同士の側縁を連結するものである。また、図２１は屋根材Ｅの施工状態を示す一部拡大断面図、図２２は施工状態を示す斜視図である。また、αは固定下地、βは固定具である。
【０００７】
さらに説明を加えると、防水継手材Ａは敷目板Ｂと嵌合体Ｃと防水材Ｄを一体化したものであり、敷目板Ｂは図２０に示すように、外装材Ｅ同士の端部の連結部分の化粧面１０の裏面部分に形成すると共に、図２に示すように嵌合体Ｃを一体化する敷目部１と、敷目部１の上端に形成した雨返部２と、下端に形成した馳部３と、敷目部１に複数本平行に形成した突起４と、突起４により形成される流水溝５と、敷目部１の中央部分を上方に突出し、係止爪８により係止溝７を形成して壺状とした複数個の係止部６とから構成されたものである。
【０００８】
その素材としては、合成樹脂材（プラスチック材）よりなり、目地部９において固定下地αに追従すると共に、固定下地αに対して密着性があるために移動しにくく、耐振性、耐外力性、防水性を向上するものである。また、金属材の成形品に比較して値段が大幅に安く、かつ、設備投資額も大幅に小さくて済むものである。
【０００９】
その具体例としては、例えばポリエチレン、ポリエーテル、ポリ炭酸エステル、ポリプロピレン、ポリスチレン、塩化ビニール樹脂、スチロール樹脂、メタクリル樹脂、ポリウレタン、フェノール樹脂、ユリア樹脂（尿素樹脂）、メラミン樹脂、フッ素樹脂、ケイ素樹脂、繊維強化プラスチック、等の一種である。なお、塩化ビニール製のものが生産性、値段、性能の面において良好である。
【００１０】
敷目部１、突起４、流水溝５は、目地部９から万が一に浸入した雨水等が、内部に拡散しないように防波堤として機能すると共に、浸入した雨水等を下方に位置する外装材Ｅの化粧面１０上に流下させ、防水性を向上するためのものである。
【００１１】
また、敷目部１に形成した雨返部２、馳部３、突起４は、防水継手材Ａの上下端部分における防水性を強化するものである。
【００１２】
突起４は、万が一に目地部９より雨水等が浸入した際に、この突起４により形成した流水溝５により雨水等を下方の外装材Ｅ上に流下させ、躯体内部に浸入するのを防止するものである。また、３ａは切り欠きであり、後記する嵌合体Ｃの係止片２０が馳部３より突出しないようにするために形成したものである。
【００１３】
係止部６は図１２に示すように、嵌合体Ｃを係合して敷目板Ｂと嵌合体Ｃを一体化するためのものである。また、嵌合体Ｃに形成した立ち上がり片１８と挿入溝１９により、敷目板Ｂへの嵌合体Ｃの一体化には下端からスライドさせて挿入することができない。このために、係止部６は図２に示すように、間隔を有して複数個分割して（図では２個）形成し、馳部３に係止片２０を係止した後、上方から嵌合体Ｃを敷目板Ｂに嵌合して一体化するものであり、係止部６を複数個に分割して形成することにより、嵌合を容易にするものである。
【００１４】
外装材Ｅは図１８（ａ）、（ｂ）（図１８（ａ）の長手方向の端面図）に示すように、略水平面状の化粧面１０と、化粧面１０の上端を化粧面１０側に略Ｕ字状に屈曲し、再び略コ字状に折り返してた嵌合部１１と、嵌合部１１の端縁を下方に屈曲すると共に化粧面１０と略平行で外方にＬ字状に屈曲した固定片１２と、化粧面１０の下端を内方に略コ字状に形成した嵌合片１３と、（ｂ）図に示すように化粧面１０の木口端部を内方に屈曲し、後記する嵌合体Ｃの係止舌片１６と係合して一体化する係合舌片１４とから形成したものである。また、図では断面を示しているが長尺状（２ｍ〜５ｍ位）のものである。
【００１５】
金属製の嵌合体Ｃは図３に示すように下端を内方にＬ字状に形成した係止片２０と、底面１５の幅方向両側を係止片２０の近傍から底面１５の中間部より立ち上がり片１８側寄りまでの範囲で折り返して出合袋状とした係止舌片１６と、底面１５と係止舌片１６により形成した係合片１７と、底面１５の上端を上方に挿入溝１９を有して突出した立ち上がり片１８と、係止舌片１６から立ち上がり片１８まで底面１５を延長した平面状の平面部２１から形成したものである。
【００１６】
その素材としては鉄、アルミニウム、銅、ステンレス、チタン、アルミ・亜鉛合金メッキ鋼板、ホーロー鋼板、クラッド鋼板、ラミネート鋼板（塩ビ鋼板等）、サンドイッチ鋼板（制振鋼板等）等（勿論、これらを各種色調に塗装したカラー金属板を含む）の一種をロール成形、プレス成形、押出成形等によって各種形状に成形したものである。
【００１７】
さらに説明すると、係止舌片１６は図２０に示すように外装材Ｅの係合舌片１４を係合し、外装材Ｅの端部を固定する部分である。
【００１８】
係合片１７は図１２に示すように敷目板Ｂの係止部６の係止爪８に係合され、敷目板Ｂに嵌合体Ｃを固定する部分である。
【００１９】
挿入溝１９は敷目板Ｂの雨返部２に挿入されて図１に示すように一体化するものであり、敷目板Ｂと嵌合体Ｃの結合をより強力なものとするものである。
【００２０】
係止片２０は目地部９部分において、外装材Ｅの嵌合部１１に挿入されて一体化され、防水継手材Ａの下端部分を外装材Ｅに固定するための部分である。
【００２１】
防水材Ｄは図１に示すように嵌合体Ｃの係止舌片１６の上端、かつ平面部２１の下端部に密着形成され、図２２に示すように目地部９を形成した際に、外装材Ｅの上端の連結部分に密着し、雨水等が内部に浸入しないように形成したものである。その素材としては定型で弾性のあるパッキング材であり、例えばポリ塩化ビニル系、クロロプレン系、クロロスルホン化ポリエチレン系、エチレンプロピレン系、アスファルト含浸ポリウレタン系等の一般的に市販されているものであり、主に防水材、気密材等の機能として有用なものである。また、特に耐候性等の優れたものとして、ＥＰＭ、ＥＰＤＭ（別名ＥＰＲ、ＥＰＴ）が有り、これは、天然ゴム、合成ゴムの中で比重が最小で、酸化、熱、化学薬品に対する耐性に優れ、電気的特性が良く、耐候性、耐熱性（耐熱老化性）、耐オゾン性、耐薬品性等に優れているものである。
【００２２】
また、図１９に示す下地材Ｆは外装材Ｅの裏面に形成され、断熱材、補強材、調湿材、防音材、遮音材、耐火材等の機能を有するものである。その素材としては例えば、ポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体よりなるボード、あるいはこれら合成樹脂発泡体をシート材でサンドイッチした複合板、もしくは石膏ボード、セメント板、炭酸カルシウム板、珪酸カルシウム板、セラミック板、木片セメント板、炭酸マグネシウム板、シージングボード、シージングインシュレーションボード、合板等よりなるもの、またはこれらの複合板よりなるものである。
【００２３】
敷目板Ｂと嵌合体Ｃとの一体化は、まず敷目板Ｂの馳部３に嵌合体Ｃの係止片２０を引っ掛け、その後、敷目板Ｂの雨返部２に嵌合体Ｃの挿入溝１９を挿入し、最後に、敷目板Ｂの係止部６に嵌合体Ｃの係合片１７を係合して一体化するものである。
【００２４】
次に施工例について簡単に説明する。いま図１に示すような防水継手材Ａと、図１８（ａ）、（ｂ）に示すような外装材Ｅ、すなわち化粧面１０の両側縁を裏面側へ折り返して形成された係合舌片１４を有する外装材Ｅ、図１９に示すようなシージングボードよりなる下地材Ｆを用いると仮定する。そこで外装材Ｅの一方の係合舌片１４を防水継手材Ａの嵌合体Ｃにはぜ組みになるように係止し、下地材Ｆ上に配設する。
【００２５】
次に隣接させる外装材Ｅの係合舌片１４を防水継手材Ａの嵌合体Ｃに嵌合、係止させて配設する。また、上下の連結は図２１に示すように、まず下段の外装材Ｅ1 を釘等の固定具βを用いて固定片１２、下地材Ｆ1 を介して固定下地α上に固定し、次に上段の下地材Ｆ2 の下端を下段の外装材Ｅ1 の固定片１２上に敷設し、下段の外装材Ｅ1 の嵌合部１１に上段の外装材Ｅ2 の嵌合片１３を挿入して形成するものである。このように順次行うことにより目地部９では図２０、図２２に示すような連結となる。このような目地部９では、内部に浸入しようとする雨水が嵌合体Ｃによる１次防水、防水材Ｄによる２次防水、雨返部２による３次防水、および突起４による４次防水の４重防水構造となり、防水性が大幅に向上する。また、防水継手材Ａは外装材Ｅによって固定されると共に、嵌合体Ｃ自体が固定具βにより固定下地α上に固定されるため、施工性が良く、かつ、防水継手材Ａ自身の移動がなくなる。
【００２６】
以上説明したのは本発明に係る防水継手材Ａの一実施例にすぎず、図２３（ａ）〜（ｆ）〜図２５（ａ）、（ｂ）に示すように形成することもできる。特に、図２５（ｂ）は固定面Ｃ1 を形成した防水継手材 Ａである。
【００２７】
【発明の効果】
上述したように本発明に係る防水継手材によれば、▲１▼カバー材を用いる必要がないため施工性が良く、かつ、外装材の側端部を防水継手材に嵌合係止するため、防水性が向上する。▲２▼防水継手材は外装材によって固定されると共に、嵌合体の固定片が固定具により固定下地に固定されているため、釘等の打設による漏水もなく、かつ、防水継手材自身の移動、脱落がない。▲３▼外装材は防水継手材によってバックアップされている目地構造となるため、目地部の変形を阻止することができる。▲４▼嵌合体に係止片を形成したために、敷目板の馳部をカバーして馳部全体の強度と、防水性の向上が図れ、さらに下端部分の固定力が向上する。▲５▼目地部において外装材の連結部分にの外観に現れるのは嵌合体の底面のみであるので、敷目板と嵌合体を同一色としなくても良い。▲６▼敷目板を合成樹脂により形成したために柔軟性があり、防水性が向上し、金属に比較して値段が大幅に安く、設備投資額も小さくて済む。▲７▼嵌合体は金属で形成したために、強度、耐候性が向上する。▲８▼嵌合体による１次防水、防水材による２次防水、雨返部による３次防水、および突起による４重の防水構造となる。等の特徴、効果がある。
【図面の簡単な説明】
【図１】本発明に係る防水継手材の代表例を示す斜視図である。
【図２】本発明に係る防水継手材の部材である敷目板を示す斜視図である。
【図３】本発明に係る防水継手材の部材である嵌合体を示す斜視図である。
【図４】本発明に係る防水継手材の部材である防水材を示す斜視図である。
【図５】図１の正面図である。
【図６】図１の背面図である。
【図７】図１の右側面図である。
【図８】図１の平面図である。
【図９】図１の底面図である。
【図１０】図５のａ−ａ部断面図である。
【図１１】図５のｂ−ｂ部断面図である。
【図１２】図３のｃ−ｃ部拡大断面図である。
【図１３】図３のｄ−ｄ部部分拡大断面図である。
【図１４】図１１のｅ−ｅ部部分拡大断面図である。
【図１５】図１１のｆ−ｆ部部分拡大断面図である。
【図１６】図１０のｇ−ｇ部部分拡大図である。
【図１７】図１０のｈ−ｈ部部分拡大図である。
【図１８】外装材の一例を示す断面図である。
【図１９】下地材の一例を示す斜視図である。
【図２０】本発明に係る防水継手材の施工状態を示す端面図である。
【図２１】本発明に係る防水継手材を使用する外装材の施工状態を示す断面図である。
【図２２】本発明に係る防水継手材の施工状態を示す斜視図である。
【図２３】本発明に係る防水継手材のその他の実施例を示す端面図である。
【図２４】本発明に係る防水継手材のその他の実施例を示す斜視図である。
【図２５】本発明に係る防水継手材のその他の実施例を示す斜視図である。
【符号の説明】
Ａ  防水継手材
Ｂ  敷目板
Ｃ  嵌合体
Ｃ1   固定面
Ｄ  防水材
Ｅ  外装材
Ｆ  下地材
α  固定下地
β  固定具
１  敷目部
２  雨返部
３  馳部
３ａ  切り欠き
４  突起
５  流水溝
６  係止部
７  係止溝
８  係止爪
９  目地部
１０  化粧面
１１  嵌合部
１２  固定片
１３  嵌合片
１４  係合舌片
１５  底面
１６  係止舌片
１７  係合片
１８  立ち上がり片
１９  挿入溝
２０  係止片
２１  平面部
【図１】
0003546316.tif 000002
【図２】
0003546316.tif 000003
【図３】
0003546316.tif 000004
【図４】
0003546316.tif 000005
【図５】
0003546316.tif 000006
【図６】
0003546316.tif 000007
【図７】
0003546316.tif 000008
【図８】
0003546316.tif 000009
【図９】
0003546316.tif 000010
【図１０】
0003546316.tif 000011
【図１１】
0003546316.tif 000012
【図１２】
0003546316.tif 000013
【図１３】
0003546316.tif 000014
【図１４】
0003546316.tif 000015
【図１５】
0003546316.tif 000016
【図１６】
0003546316.tif 000017
【図１７】
0003546316.tif 000018
【図１８】
0003546316.tif 000019
【図１９】
0003546316.tif 000020
【図２０】
0003546316.tif 000021
【図２１】
0003546316.tif 000022
【図２２】
0003546316.tif 000023
【図２３】
0003546316.tif 000024
【図２４】
0003546316.tif 000025
【図２５】
0003546316.tif 000026